(57)【要約】【課題】簡単な構成でｄＶＣＲの補正が可能なコンバーゼンス補正装置を提供する。【解決手段】水平偏向周期のパラボラ電流を生成するパラボラ電流生成回路４０と、上記水平周期のパラボラ電流を垂直偏向周期で変調するパラボラ電流変調手段であるｄＶＣＲブリッジ回路７０，垂直周期前半変調回路９０，垂直周期後半変調回路８０と、電子ビームの軌道を垂直方向に補正する６極垂直補正磁界を、上記垂直偏向周期で変調された水平偏向周期のパラボラ電流に応じて発生する６極垂直補正コイル６０とを備え、上記パラボラ電流生成手段は、可飽和リアクタ絶縁トランスを有し、この可飽和リアクタ絶縁トランスの１次側に供給された水平偏向電流に応じて、上記１次側から絶縁された２次側に上記水平周期のパラボラ電流を生成する。【選択図】        図１
2004254072.tif 000002
【特許請求の範囲】
【請求項１】
水平偏向周期のパラボラ電流を生成するパラボラ電流生成手段と、
上記水平周期のパラボラ電流を垂直偏向周期で変調するパラボラ電流変調手段と、
電子ビームの軌道を垂直方向に補正する６極垂直補正磁界を、上記垂直偏向周期で変調された水平偏向周期のパラボラ電流に応じて発生する６極垂直補正磁界発生手段と
を備え、
上記パラボラ電流生成手段は、可飽和リアクタ絶縁トランスを有し、この可飽和リアクタ絶縁トランスの１次側に供給された水平偏向電流に応じて、上記１次側から絶縁された２次側に上記水平周期のパラボラ電流を生成する
ことを特徴とするコンバーゼンス補正装置。
【請求項２】
水平周期のパラボラ電流を生成するパラボラ電流生成手段と、
上記水平周期のパラボラ電流を垂直偏向周期で変調するパラボラ電流変調手段と、
電子ビームの軌道を垂直方向に補正する６極垂直補正磁界を、上記垂直偏向周期で変調された水平偏向周期のパラボラ電流に応じて発生する６極垂直補正磁界発生手段と
を備え、
上記６極垂直補正磁界発生手段は、１組の６極垂直補正コイルからなり、
上記パラボラ電流変調手段は、
垂直偏向周期の前半において２次側に供給された上記パラボラ電流を１次側に供給された垂直偏向電流に応じて変調する第１の可飽和リアクタと、
垂直偏向周期の後半において２次側に供給された上記パラボラ電流を１次側に供給された垂直偏向電流に応じて変調する第２の可飽和リアクタと
を有し、
上記２つの可飽和リアクタの４つの２次側コイルで構成したブリッジ回路によって、水平偏向周期のパラボラ電流を垂直偏向周期で変調した電流であって垂直偏向周期の前半と後半でパラボラ電流を極性反転させた６極垂直補正電流を上記１組の６極垂直補正コイルに供給する
ことを特徴とするコンバーゼンス補正装置。
【請求項３】
上記パラボラ電流変調手段は、
上記垂直偏向周期の前半においての変調度を調整する第１の調整手段と、上記垂直偏向周期の後半においての変調度を調整する第２の調整手段と
を有する
ことを特徴とする請求項１または２に記載のコンバージェンス補正装置。
【請求項４】
請求項１から３までのいずれかに記載のコンバーゼンス補正装置を備えたことを特徴とする偏向ヨーク。
【請求項５】
請求項４記載の偏向ヨークを備えたことを特徴とするカラー陰極線管装置。
【発明の詳細な説明】
【０００１】
【発明の属する技術分野】
本発明は、テレビジョン受像機やディスプレイモニターなどに使用されるカラー陰極線管装置に関し、特に上記カラー陰極線管の偏向ヨークに設けられてミスコンバーゼンスを補正するコンバーゼンス補正装置に関するものである。
【０００２】
【従来の技術】
カラー陰極線管装置においては、図１０に示すように画面の垂直方向においてサイドビームＲ，ＢとセンタービームＧとがずれるミスコンバーゼンスを生じる。図１０のようなミスコンバーゼンスにおいて、サイドビームＲ，Ｂの平均値とセンタービームＧとの差分をＶＣＲ（Ｖｅｒｔｉｃａｌ  Ｃｅｎｔｅｒ  Ｒａｓｔｅｒ）と称する。また、図１１に示すように、画面上下において中央と左右端（画面コーナ）において上記ＶＣＲが異なるミスコンバーゼンスが発生する。画面上下においての中央と左右端でのＶＣＲの差分をｄＶＣＲと称する。
【０００３】
上記ｄＶＣＲを補正する従来のコンバーゼンス補正装置は、バイファイラ巻きされた２組の６極垂直補正コイルを設け、それぞれの６極垂直補正コイルにｄＶＣＲコンバーゼンス補正電流を供給して、６極垂直補正磁界を発生させている（例えば特許文献１参照）。
【０００４】
【特許文献１】
特開２００１−２１１４６０号公報（図３）
【０００５】
【発明が解決しようとする課題】
しかしながら、上記従来のコンバーゼンス補正装置では、バイファイラ巻きされた２組の６極垂直補正コイルを必要とするので、構造が複雑になるという課題があった。また、６極垂直補正回路が水平偏向回路に直接つながっていて高電位になる構造なので、６極垂直補正回路全体を垂直偏向回路から絶縁する必要があり、これによっても構造が複雑になるという課題があった。さらには、６極垂直補正磁界量が容易に調整できないという課題もあった。
【０００６】
本発明は、このような従来の課題を解消するためになされたものであり、簡単な構成でｄＶＣＲの補正が可能なコンバーゼンス補正装置を提供することを目的とするものである。
【０００７】
【課題を解決するための手段】
本発明のコンバーゼンス補正装置は、
水平偏向周期のパラボラ電流を生成するパラボラ電流生成手段と、
上記水平周期のパラボラ電流を垂直偏向周期で変調するパラボラ電流変調手段と、
電子ビームの軌道を垂直方向に補正する６極垂直補正磁界を、上記垂直偏向周期で変調された水平偏向周期のパラボラ電流に応じて発生する６極垂直補正磁界発生手段と
を備え、
上記パラボラ電流生成手段は、可飽和リアクタ絶縁トランスを有し、この可飽和リアクタ絶縁トランスの１次側に供給された水平偏向電流に応じて、上記１次側から絶縁された２次側に上記水平周期のパラボラ電流を生成する
ことを特徴とするものである。
【０００８】
また、本発明の他のコンバーゼンス補正装置は、
水平周期のパラボラ電流を生成するパラボラ電流生成手段と、
上記水平周期のパラボラ電流を垂直偏向周期で変調するパラボラ電流変調手段と、
電子ビームの軌道を垂直方向に補正する６極垂直補正磁界を、上記垂直偏向周期で変調された水平偏向周期のパラボラ電流に応じて発生する６極垂直補正磁界発生手段と
を備え、
上記６極垂直補正磁界発生手段は、１組の６極垂直補正コイルからなり、
上記パラボラ電流変調手段は、
垂直偏向周期の前半において２次側に供給された上記パラボラ電流を１次側に供給された垂直偏向電流に応じて変調する第１の可飽和リアクタと、
垂直偏向周期の後半において２次側に供給された上記パラボラ電流を１次側に供給された垂直偏向電流に応じて変調する第２の可飽和リアクタと
を有し、
上記２つの可飽和リアクタの４つの２次側コイルで構成したブリッジ回路によって、水平偏向周期のパラボラ電流を垂直偏向周期で変調した電流であって垂直偏向周期の前半と後半でパラボラ電流を極性反転させた６極垂直補正電流を上記１組の６極垂直補正コイルに供給する
ことを特徴とするものである。
【０００９】
【発明の実施の形態】
図１は本発明の実施の形態のｄＶＣＲ補正回路の構成を説明する回路図である。図１のｄＶＣＲ補正回路１００は、コンバーゼンス補正装置を構成しており、可飽和リアクタ２０および３０と、パラボラ電流生成回路４０と、垂直偏向電流位相調整回路５０と、６極垂直補正コイル６０と、ｄＶＣＲ補正ブリッジ回路７０と、垂直周期後半変調回路８０と、垂直周期前半変調回路９０と備えている。また、図１において、ＬＨ１は水平偏向コイル、ＬＶ１は垂直偏向コイルである。
【００１０】
図２はカラー陰極線管装置の構成を説明する側面図であり、図１と同じものには同じ符号を付してある。図２のカラー陰極線管装置は、陰極線管１０と、電子銃１３と、偏向ヨーク１４と、コンバーゼンスピュアリティマグネット１９とを備えている。陰極線管１０は、ネック１１と、パネル１２と、ファンネル１５とを含んで構成されている。電子銃１３は、ネック１１の後端の内部に封入されている。コンバーゼンスピュアリティマグネット１９は、電子銃１３と偏向ヨーク１４の間においてネック１１の周囲に設けられている。
【００１１】
偏向ヨーク１４は、ネック１１の前端（ファンネル１５との接合部）の周囲に設けられており、水平偏向コイルＬＨ１と、垂直偏向コイルＬＶ１と、ボビン１７と、コア１８とを備えている。また、偏向ヨーク１４には、コンバーゼンス補正コイル２２および図１のｄＶＣＲ補正回路１００を含むコンバーゼンス補正装置が設けられている。
【００１２】
図１および図２において、水平偏向コイルＬＨ１には、水平偏向回路（図示せず）から供給された水平偏向電流（水平偏向周期のノコギリ波電流）Ｉｈに応じて、水平偏向磁界を発生し、電子銃３から放射された３本の電子ビームの軌道を水平方向に偏向する。
【００１３】
また、垂直偏向コイルＬＶ１には、垂直偏向回路（図示せず）から供給された垂直偏向電流（垂直偏向周期のノコギリ波電流）Ｉｖに応じて、上記３本の電子ビームの軌道を垂直方向に偏向する。
【００１４】
水平偏向電流Ｉｈは、水平偏向コイルＬＨ１を介して、パラボラ電流生成回路４０の１次側コイルＬＤｈ１とＬＤｈ２の直列回路にも流れる。
【００１５】
また、垂直偏向電流Ｉｖは、垂直偏向コイルＬＶ１を介して、垂直偏向電流位相調整回路５０のコイルＬ１と抵抗Ｒ１の直列回路にも流れ、さらにこの垂直偏向電流位相調整回路５０に並列接続された垂直周期後半変調回路８０および垂直周期前半変調回路９０のボリューム抵抗ＶＲ１，ダイオードＤ１，コイルＬＤＶ１，ＬＤＶ２からなる直列回路およびコイルＬＤＶ４，ＬＤＶ３，ダイオードＤ２，ボリューム抵抗ＶＲ２からなる直列回路にも流れる。
【００１６】
［パラボラ電流生成回路４０］
図４はパラボラ電流生成回路４０の構成および動作を説明する図であり、図１と同じものには同じ符号を付してある。図１および図４において、パラボラ電流生成回路４０は、１次側コイルＬＤｈ１，ＬＤｈ２と、２次側コイルＬＤｐ１，ＬＤｐ２と、ドラムコア４２，４３と、永久磁石４４と、層間絶縁紙４５，４６と、水平偏向電流Ｉｈの入力端子Ｈ１，Ｈ２と、水平偏向周期のパラボラ電流の出力端子Ｐ１，Ｐ２とを有する。
【００１７】
１次側コイルＬＤｈ１、２次側コイルＬＤｐ１、ドラムコア４３、および層間絶縁紙４６は、可飽和リアクタ絶縁トランスを構成している。同様に、１次側コイルＬＤｈ２、２次側コイルＬＤｐ２、ドラムコア４２、および層間絶縁紙４５も、可飽和リアクタ絶縁トランスを構成している。
【００１８】
１次側コイルＬＤｈ１とＬＤｈ２は直列接続されており、水平偏向電流Ｉｈの入力端子Ｈ１，Ｈ２に接続されている。また、２次側コイルＬＤｐ１とＬＤｐ２は直列接続されており、この２次側コイルの直列回路は水平パラボラ電流の出力端子Ｐ１，Ｐ２に接続されている。
【００１９】
１次側コイルＬＤｈ１と２次側コイルＬＤｐ１は、互いに逆方向の磁界を発生するようにドラムコア４３に巻回されており、層間絶縁紙４６によって互いに絶縁されている。同様に、１次側コイルＬＤｈ２と２次側コイルＬＤｐ２は、互いに逆方向の磁界を発生するようにドラムコア４２に巻回されており、層間絶縁紙４５によって互いに絶縁されている。
【００２０】
２つのドラムコア４２と４３の間には、永久磁石４４が配置されており、この永久磁石４４によって１次側コイルＬＤｈ１およびＬＤｈ２に固定のバイアス磁界が印加される。図４では、永久磁石４４は、ドラムコア４２側がＳ極になり、ドラムコア４３側がＮ極になるように配置されている。
【００２１】
このパラボラ電流生成回路回路４０は、水平偏向コイルＬＨ１を介して１次側コイルＬＤｈ１，ＬＤｈ２に供給された水平偏向電流Ｉｈに応じて、１次側コイルＬＤｈ１，ＬＤｈ２から絶縁された２次側コイルＬＤｐ１，ＬＤｐ２に水平周期のパラボラ電流を生成する。
【００２２】
［６極垂直補正コイル６０］
図３は６極垂直補正コイル６０の構成および動作を説明する図であり、図１および図２と同じものには同じ符号を付してある。図１および図５において、６極垂直補正コイル６０は、１組の６極垂直補正コイルであり、直列接続された６つのコイルＬｖ６１，Ｌｖ６２，Ｌｖ６３，Ｌｖ６４，Ｌｖ６５，Ｌｖ６６と、２つのコア６７，６８とを有する。
【００２３】
６極垂直補正コイル６０の６つのコイルＬｖ６１，Ｌｖ６２，Ｌｖ６３，Ｌｖ６４，Ｌｖ６５，Ｌｖ６６は直列接続され、これらの６つのコイルの直列回路はｄＶＣＲ補正ブリッジ回路７０の出力端子Ｐ３，Ｐ４間に接続されている。
【００２４】
６極垂直補正コイル６０の略Ｅ字型のコア６７および６８は、図３のように、カラー陰極線管のネック１１を挟んで水平方向に脚部が互いに向き合うように配設されており、コイルＬｖ６１，Ｌｖ６２，Ｌｖ６３は、コア６７の３本の脚部のそれぞれに順に巻回されており、コイルＬｖ６４，Ｌｖ６５，Ｌｖ６６は、コア６８の３本の脚部のそれぞれに順に巻回されている。このように、６極垂直補正コイル６０は、カラー陰極線管のネック１１の周りに配設されている。
【００２５】
図３に示すように、コイルＬｖ６１，Ｌｖ６２，Ｌｖ６３は、コイルＬｖ６２が巻回された中央の脚部がＮ極になるときに、コイルＬｖ６１，Ｌｖ６３が巻回された両端の脚部がＳ極になるように、コア６７に巻回されている。また、コイルＬｖ６４，Ｌｖ６５，Ｌｖ６６は、コイルＬｖ６５が巻回された中央の脚部がＳ極になるときに、コイルＬｖ６４，Ｌｖ６６が巻回された両端の脚部がＮ極になるように、コア６８に巻回されている。
【００２６】
この６極垂直補正コイル６０は、ｄＶＣＲ補正ブリッジ回路７０から供給された垂直偏向周期で変調された水平偏向周期のパラボラ電流に応じて、カラー陰極線管の電子銃から放射された３本の電子ビームＲ，Ｇ，ＢにおいてのサイドビームＲ，Ｂの軌道を図３のように垂直方向に補正する６極垂直補正磁界を発生する。
【００２７】
［可飽和リアクタ２０および３０］
図５は可飽和リアクタ２０および３０の構成を説明する図であり、図１と同じものには同じ符号を付してある。図１および図５において、可飽和リアクタ２０は、変調側コイル（１次側コイル）ＬＤＶ１，ＬＤＶ２と、被変調側コイル（２次側コイル）ＬＢ１，ＬＢ２と、コア２１，２２とを有する。同様に、可飽和リアクタ３０は、変調側コイル（１次側コイル）ＬＤＶ３，ＬＤＶ４と、被変調側コイル（２次側コイル）ＬＢ３，ＬＢ４と、コア３１，３２とを有する。
【００２８】
可飽和リアクタ２０において、略Ｅ字型のコア２１および２２は図５のように脚部が互いに向き合うように配設されており、変調側コイルＬＤＶ１およびＬＤＶ２はコア２１の両端脚部にそれぞれ巻回され、被変調側コイルＬＢ１およびＬＢ２はコア２２の両端脚部にそれぞれ巻回されている。
【００２９】
同様に、可飽和リアクタ３０において、略Ｅ字型のコア３１および３２は図５のように脚部が互いに向き合うように配置されており、変調側コイルＬＤＶ３およびＬＤＶ４はコア３１の両端脚部にそれぞれ巻回され、被変調側コイルＬＢ３およびＬＢ４はコア３２の両端脚部にそれぞれ巻回されている。
【００３０】
これら可飽和リアクタ２０および３０において、被変調側コイルＬＢ１およびＬＢ３の一端は、パラボラ電流生成回路４０の出力端子Ｐ１に接続されており、被変調側コイルＬＢ２およびＬＢ４の一端は、パラボラ電流生成回路４０の出力端子Ｐ２に接続されている。また、被変調側コイルＬＢ２およびＬＢ３の他端は、ｄＶＣＲ補正ブリッジ回路７０の出力端子Ｐ３（６極垂直補正コイル６０の第１の入力端子）に接続されており、被変調側コイルＬＢ１およびＬＢ４の他端は、ｄＶＣＲ補正ブリッジ回路７０の出力端子Ｐ４（６極垂直補正コイル６０の第２の入力端子）に接続されている。
【００３１】
これらの可飽和リアクタ２０および３０は、変調側コイルＬＤＶ１，ＬＤＶ２およびＬＤＶ３，ＬＤＶ４に電流を流すと、被変調側コイルＬＢ１，ＬＢ２およびコイルＬＢ３，ＬＢ４のそれぞれのインダクタンスが減少するように設定されている。
【００３２】
可飽和リアクタ２０の変調側コイルＬＤＶ１およびＬＤＶ２には、垂直偏向周期の後半において、垂直周期後半変調回路８０から垂直偏向周期の電流が供給され、可飽和リアクタ３０の変調側コイルＬＤＶ３およびＬＤＶ４には、垂直偏向周期の前半において、垂直周期前半変調回路９０から垂直偏向周期の電流が供給される。
【００３３】
なお、可飽和リアクタ２０の１次側コイルＬＤＶ１およびＬＤＶ２は、垂直周期後半変調回路８０を構成しており、可飽和リアクタ３０の１次側コイルＬＤＶ３およびＬＤＶ４は、垂直周期前半変調回路９０を構成している。また、可飽和リアクタ２０および３０の２次側コイルＬＢ１，ＬＢ２，ＬＢ３，ＬＢ４は、ｄＶＣＲ補正ブリッジ回路７０を構成している。
【００３４】
［垂直偏向電流位相調整回路５０］
図１において、垂直偏向電流位相調整回路５０は、コイルＬ１，Ｌ２と、抵抗Ｒ１，Ｒ２とを有する。
【００３５】
垂直偏向電流位相調整回路５０において、コイルＬ１の一端と抵抗Ｒ１の一端は直列接続され、コイルＬ２と抵抗Ｒ３も直列接続されており、コイルＬ２と抵抗Ｒ３の直列回路はコイルＬ１に並列接続されている。
【００３６】
そして、コイルＬ１の他端（コイルＬ２との共通接続端子）は、垂直周期後半変調回路８０および垂直周期前半変調回路９０の共通端子Ｖ１に接続され、抵抗Ｒ１の他端は、垂直周期後半変調回路８０および垂直周期前半変調回路９０の共通端子Ｖ２に接続されており、コイルＬ１とＬ２の共通接続端子に、垂直偏向コイルＬＶ１を介して垂直偏向電流Ｉｖが供給される。
【００３７】
［垂直周期後半変調回路８０，垂直周期前半変調回路９０］
図１において、垂直周期後半変調回路８０は、ボリューム抵抗ＶＲ１と、ダイオードＤ１と、飽和リアクタ２０の変調側コイル（１次側コイル）ＬＤＶ１，ＬＤＶ２とを有する。また、垂直周期前半変調回路９０は、ボリューム抵抗ＶＲ２と、ダイオードＤ２と、可飽和リアクタ３０の変調側コイル（１次側コイル）ＬＤＶ３，ＬＤＶ４とを有する。
【００３８】
垂直周期後半変調回路８０のボリューム抵抗ＶＲ１，ダイオードＤ１，変調側コイルＬＤＶ１，ＬＤＶ２は直列接続されており、垂直周期前半変調回路９０のボリューム抵抗ＶＲ２，ダイオードＤ２，変調側コイルＬＤＶ３，ＬＤＶ２も直列接続されている。
【００３９】
そして、垂直周期後半変調回路８０の直列回路のコイルＬＤＶ２側の端子と、垂直周期前半変調回路９０の直列回路のコイルＬＤＶ４側の端子とは、共通端子Ｖ１に共通接続されており、垂直周期後半変調回路８０の直列回路のボリューム抵抗ＶＲ１側の端子と、垂直周期前半変調回路９０の直列回路のボリューム抵抗ＶＲ２側の端子とは、共通端子Ｖ２に共通接続されている。
【００４０】
垂直周期前半変調回路９０は、垂直偏向周期の前半において変調側コイルＬＤＶ４，ＬＤＶ３に流れる変調電流（垂直偏向周期の前半の垂直偏向電流）Ｉｖ１に応じて、パラボラ電流生成回路４０で生成された水平偏向周期のパラボラ電流を変調する。同様に、垂直周期後半変調回路８０は、垂直偏向周期の後半において変調側コイルＬＤＶ１，ＬＤＶ２に流れる変調電流（垂直偏向周期の後半の垂直偏向電流）Ｉｖ２に応じて、パラボラ電流生成回路４０で生成された水平偏向周期のパラボラ電流を変調する。
【００４１】
［ｄＶＣＲ補正ブリッジ回路７０］
図６はｄＶＣＲ補正ブリッジ回路７０の構成および動作を説明する図であり、図１と同じものには同じ符号を付してある。図１および図６において、ｄＶＣＲ補正ブリッジ回路７０は、可飽和リアクタ２０の被変調側コイル（２次側コイル）ＬＢ１，ＬＢ２と、可飽和リアクタ３０の被変調側コイル（２次側コイル）ＬＢ３，ＬＢ４と、出力端子Ｐ３，Ｐ４とを有する。
【００４２】
ｄＶＣＲ補正ブリッジ回路７０においては、図１および図６のように、被変調側コイルＬＢ１の一端とＬＢ３の一端との共通接続端子がパラボラ電流生成回路４０の出力端間Ｐ１に接続され、被変調側コイルＬＢ２の一端とＬＢ４の一端との共通接続端子がパラボラ電流生成回路４０の出力端間Ｐ２に接続され、被変調側コイルＬＢ１の他端とＬＢ４の他端との共通接続端子が出力端子Ｐ３（６極垂直補正コイル６０の第１の入力端子）に接続され、被変調側コイルＬＢ２の他端とＬＢ４の他端との共通接続端子が出力端子Ｐ４（６極垂直補正コイル６０の第２の入力端子）に接続されて、ブリッジ回路が構成されている。
【００４３】
このｄＶＣＲ補正ブリッジ回路７０は、垂直偏向周期の前半では、可飽和リアクタ３０によって垂直偏向周期で変調された水平偏向周期のパラボラ電流である垂直６極補正電流Ｉｖ６を６極垂直補正コイル６０に供給し、垂直偏向周期の後半では、可飽和リアクタ２０によって垂直偏向周期で変調された水平偏向周期のパラボラ電流である垂直６極補正電流Ｉｖ６を垂直偏向周期の前半とはパラボラ電流の極性を反転させて６極垂直補正コイル６０に供給する。
【００４４】
ｄＶＣＲ補正ブリッジ回路７０、垂直周期前半変調回路９０、および垂直周期後半変調回路８０は、パラボラ電流変調手段を構成しており、垂直偏向周期の前半では、可飽和リアクタ３０において、被変調側コイルＬＢ３，ＬＢ４に供給されたパラボラ電流を変調側コイルＬＤＶ３，ＬＤＶ４に供給された変調電流（垂直偏向周期の前半の垂直偏向電流）Ｉｖ１に応じて変調し、垂直偏向周期の後半では、可飽和リアクタ２０において、被変調側コイルＬＢ１，ＬＢ２に供給されたパラボラ電流を変調側コイルＬＤＶ１，ＬＤＶ２に供給された変調電流（垂直偏向周期の後半の垂直偏向電流）Ｉｖ２に応じて変調し、４つの被変調側コイルＬＢ１，ＬＢ２，ＬＢ３，ＬＢ４で構成したブリッジ回路によって、水平偏向周期のパラボラ電流を垂直偏向周期で変調した電流であって垂直偏向周期の前半と後半でパラボラ電流を極性反転させた６極垂直補正電流Ｉｖ６を６極垂直補正コイル６０に供給する。
【００４５】
ｄＶＣＲ補正回路１００のミスコンバーゼンス補正動作について以下に説明する。
【００４６】
図７はパラボラ電流生成回路４０においての入出力電流波形図であり、（Ａ）は入力電流である水平偏向電流Ｉｈの波形図、（Ｂ）は出力電流である水平偏向周期のパラボラ電流の波形図である。この図７ならびに図１および図４を用いて、パラボラ電流生成回路４０の動作を以下に説明する。
【００４７】
パラボラ電流生成回路４０の入力端子Ｈ１，Ｈ２間には、水平偏向コイルＬＨ１を介して、図７（Ａ）に示す水平偏向電流（水平偏向周期のノコギリ波電流）Ｉｈが供給される。この水平偏向電流Ｉｈは、例えば、水平偏向周期の前半では入力端子Ｈ１に流れ込み、水平偏向周期の後半では入力端子Ｈ２に流れ込む。
【００４８】
図４（Ａ）に実線の矢印で示すように、水平偏向電流Ｉｈが入力端子Ｈ１に流れ込む場合には、１次側コイルＬＤｈ１は固定バイアス磁界と反対方向の磁界を発生し、１次側コイルコイルＬＤｈ２は上記固定バイアス磁界と同じ方向の磁界を発生する。
【００４９】
このため、ドラムコア４３の磁界飽和の傾向は１次側コイルＬＤｈ１が発生する磁界によって弱くなり、１次側コイルコイルＬＤｈ１のインダクタンスは増加する。また、ドラムコア４２の磁界飽和の傾向は１次側コイルＬＤｈ２が発生する磁界によって強くなり、１次側コイルＬＤｈ２のインダクタンスは減少する。これによって、インダクタンスが大きい１次側コイルＬＤｈ１の２次側コイルＬＤｐ１に誘起される電流が増加する。
【００５０】
一方、図４（Ｂ）に破線の矢印で示すように、水平偏向電流Ｉｈが入力端子Ｈ２に流れ込む場合には、１次側コイルＬＤｈ１は固定バイアス磁界と同じ方向の磁界を発生し、１次側コイルＬＤｈ２は上記固定バイアス磁界と反対方向の磁界を発生する。
【００５１】
このため、ドラムコア４３の磁界飽和の傾向は１次側コイルＬＤｈ１が発生する磁界によって強くなり、１次側コイルコイルＬＤｈ１のインダクタンスは減少する。また、ドラムコア４２の磁界飽和の傾向は１次側コイルＬＤｈ２が発生する磁界によって弱くなり、１次側コイルＬＤｈ２のインダクタンスは増加する。これによって、インダクタンスが大きい１次側コイルＬＤｈ２の２次側コイルＬＤｐ２に誘起される電流が増加する。
【００５２】
このように、水平偏向電流Ｉｈが入力端子Ｈ１に流れ込む期間では、２次側コイルＬＤｐ１の誘起電流が増加し、水平偏向電流Ｉｈが入力端子Ｈ２に流れ込む期間では、２次側コイルＬＤｐ２の誘起電流が増加する。
【００５３】
そして、水平偏向電流Ｉｈが入力端子Ｈ１に流れ込む期間では、図１に実線の矢印で示すように、２次側コイルＬＤｐ１の誘起電流がｄＶＣＲ補正ブリッジ回路７０に流れ込み、水平偏向電流Ｉｈが入力端子Ｈ２に流れ込む期間では、図１に破線の矢印で示すように、２次側コイルＬＤｐ２の誘起電流がｄＶＣＲ補正ブリッジ回路７０に流れ込むことになる。
【００５４】
このとき、水平偏向電流Ｉｈが入力端子Ｈ１に流れ込む期間と入力端子Ｈ２に流れ込む期間のいずれにおいても、上記２次側コイルの誘起電流は、パラボラ電流生成回路４０の出力端子Ｐ１からｄＶＣＲ補正ブリッジ回路７０に流れ込み、ｄＶＣＲ補正ブリッジ回路７０出力端子Ｐ２を流れた電流は、パラボラ電流生成回路４０の出力端子Ｐ２に戻る。
【００５５】
このように、パラボラ電流生成回路４０は、１次側に流れる水平偏向電流Ｉｈの方向が反転しても、ｄＶＣＲ補正ブリッジ回路７０に同じ方向（図の矢印方向）の電流を出力する。従って、パラボラ電流生成回路４０の出力電流は、図７（ｂ）に示すようにパラボラ波の電流（パラボラ電流）となる。
【００５６】
図８はパラボラ電流変調手段（ｄＶＣＲ補正ブリッジ回路７０、垂直周期前半変調回路９０、および垂直周期後半変調回路８０）においての電流波形図であり、（Ａ）は変調電流（垂直偏向周期の前半の垂直偏向電流）Ｉｖ１の波形図、（Ｂ）は垂直偏向周期の前半の６極垂直補正電流Ｉｖ６の波形図、（Ｃ）は変調電流（垂直偏向周期の後半の垂直偏向電流）Ｉｖ２の波形図、（Ｄ）は垂直偏向周期の後半の６極垂直補正電流Ｉｖ６の波形図、（Ｅ）は１垂直偏向周期の６極垂直補正電流Ｉｖ６の波形図（上記（Ｂ）および（Ｄ）を合成した波形図）である。この図８ならびに図１，図５，図６を用いて、パラボラ電流変調手段の動作を以下に説明する。
【００５７】
垂直周期後半変調回路８０および垂直周期前半変調回路９０の共通端子Ｖ１，Ｖ２ならびに垂直偏向電流位相調整回路５０には、垂直偏向コイルＬＶ１を通して、垂直偏向電流（垂直偏向周期のノコギリ波電流）Ｉｖが供給される。この垂直偏向電流Ｉｖは、例えば、垂直偏向周期の前半では共通端子Ｖ１に流れ込み、垂直偏向周期の後半では共通端子Ｖ２に流れ込む。
【００５８】
なお、垂直偏向電流位相調整回路５０は、垂直周期後半変調回路８０に流れる電流と垂直周期前半変調回路９０に流れる電流の位相を調整するために設けられた回路である。垂直偏向電流位相調整回路５０の抵抗Ｒ１のみを設けた構成では、垂直周期後半変調回路８０に流れる電流と垂直周期前半変調回路９０に流れる電流とが位相ずれを起こす。垂直偏向電流位相調整回路５０のコイルＬ１は、この位相ずれを調整するために設けられている。また、コイルＬ１に並列接続されたコイルＬ２および抵抗Ｒ２の直列回路は、抵抗Ｒ１およびコイルＬ１のみでは調整しきれない高周波周波数領域の位相を調整するために設けられている。
【００５９】
垂直周期前半変調回路９０は、可飽和リアクタ３０の変調側コイルＬＤＶ３，ＬＤＶ４に、図１に実線の矢印で示す変調電流Ｉｖ１を流す。この変調電流Ｉｖ１は、図８（Ａ）に示すように、ダイオードＤ２によって、垂直偏向周期の前半にのみ変調側コイルＬＤＶ３，ＬＤＶ４に流れ、垂直偏向周期の後半では変調側コイルＬＤＶ３，ＬＤＶ４には流れない。この変調側コイルに流れる変調電流Ｉｖ１は、ダイオードＤ２によって整流されるとともに、ボリューム抵抗ＶＲ２によって振幅調整された垂直偏向電流Ｉｖである。
【００６０】
逆に、垂直周期後半変調回路８０は、可飽和リアクタ２０の変調側コイルＬＤＶ１，ＬＤＶ２に、図１に破線の矢印で示すを流す。この変調電流Ｉｖ２は、図８（Ｃ）に示すように、ダイオードＤ１によって、垂直偏向周期の後半にのみ変調側コイルＬＤＶ１，ＬＤＶ２に流れ、垂直偏向周期の前半では変調側コイルＬＤＶ１，ＬＤＶ２には流れない。この変調側コイルに流れる変調電流Ｉｖ２は、ダイオードＤ１によって整流されるとともに、ボリューム抵抗ＶＲ１によって振幅調整された垂直偏向電流Ｉｖである。
【００６１】
また、図５において、可飽和リアクタ２０は、変調側コイルＬＤＶ１，ＬＤＶ２に電流を流すと、被変調側コイルＬＢ１，ＬＢ２のインダクタンスが減少するように設定されている。同様に、可飽和リアクタ３０も、変調側コイルＬＤＶ３，ＬＤＶ４に電流を流すと、被変調側コイルＬＢ３，ＬＢ４のインダクタンスが減少するように設定されている。
【００６２】
垂直偏向周期の前半においては、可飽和リアクタ３０の変調側コイルＬＤＶ４，ＬＤＶ３に変調電流Ｉｖ１が流れ、可飽和リアクタ３０の被変調側コイルＬＢ３，ＬＢ４のインダクタンスが変調される。
【００６３】
６極垂直補正コイル６０は、図６に示すように、被変調側コイルＬＢ３，ＬＢ４に直列に接続されているので、被変調側コイルＬＢ３，ＬＢ４のインダクタンスが変調電流Ｉｖ１によって変調されると、６極垂直補正コイル６０にｄＶＣＲ補正ブリッジ回路７０から供給される６極垂直補正電流Ｉｖ６は、変調電流Ｉｖ１によって変調され、図８（Ｂ）に示すように、垂直偏向電流Ｉｖに応じて変調された水平偏向周期のパラボラ電流となる。
【００６４】
この垂直偏向周期の前半では、図６に実線の矢印で示すように、６極垂直補正電流Ｉｖ６は、被変調側コイルＬＢ３（ｄＶＣＲ補正ブリッジ回路７０の出力端子Ｐ３）から６極垂直補正コイル６０に流れ込み、６極垂直補正コイル６０から被変調側コイルＬＢ４（ｄＶＣＲ補正ブリッジ回路７０の出力端子Ｐ４）に流れ込む。また、パラボラ電流生成回路４０の端子Ｐ１から出力された水平偏向周期のパラボラ電流が、被変調側コイルＬＢ３，ＬＢ４で変調され、６極垂直補正電流Ｉｖ６となる。
【００６５】
一方、垂直偏向周期の後半においては、可飽和リアクタ２０の変調側コイルＬＤＶ１，ＬＤＶ２に変調電流Ｉｖ２が流れ、可飽和リアクタ２０の被変調側コイルＬＢ１，ＬＢ２のインダクタンスが変調される。
【００６６】
６極垂直補正コイル６０は、図６に示すように、被変調側コイルＬＢ１，ＬＢ２に直列に接続されているので、被変調側コイルＬＢ１，ＬＢ２のインダクタンスが変調電流Ｉｖ２によって変調されると、６極垂直補正コイル６０にｄＶＣＲ補正ブリッジ回路７０から供給される６極垂直補正電流Ｉｖ６は、変調電流Ｉｖ２によって変調され、図８（Ｄ）に示すように、垂直偏向電流Ｉｖに応じて変調された水平偏向周期のパラボラ電流となる。
【００６７】
この垂直偏向周期の後半では、図６に破線の矢印で示すように、６極垂直補正電流Ｉｖ６は、被変調側コイルＬＢ１（ｄＶＣＲ補正ブリッジ回路７０の出力端子Ｐ４）から６極垂直補正コイル６０に流れ込み、６極垂直補正コイル６０から被変調側コイルＬＢ２（ｄＶＣＲ補正ブリッジ回路７０の出力端子Ｐ３）に流れ込む。また、パラボラ電流生成回路４０の端子Ｐ１から出力された水平偏向周期のパラボラ電流が、被変調側コイルＬＢ１，ＬＢ２で変調され、６極垂直補正電流Ｉｖ６となる。
【００６８】
従って、１垂直偏向周期においての６極垂直補正電流電流Ｉｖ６は、図８（Ｅ）に示すように、水平偏向周期のパラボラ電流を垂直偏向周期で変調した電流であって垂直偏向周期の前半と後半でパラボラ電流を極性反転させた電流となる。
【００６９】
６極垂直補正コイル６０は、６極垂直補正電流Ｉｖ６の方向および振幅に応じて、カラー陰極線管のネック１１内に図３に破線の矢印で示すような６極補正磁界を発生する。なお、図３に破線の矢印で示す６極補正磁界は、カラー陰極線管のパネル１２側から見たときの方向である。
【００７０】
垂直偏向周期の前半では、６極垂直補正コイル６０には図８（Ｅ）の左半分の６極垂直補正電流Ｉｖ６（図８（Ｂ）の６極垂直補正電流Ｉｖ６）が流れ、電子ビームＲ，Ｇ，Ｂは画面の上半分を走査する。また、図８（Ｅ）の６極垂直補正電流Ｉｖ６の左半分においてのパラボラ電流は、図７（ｂ）のパラボラ電流と同じ極性である。
【００７１】
一方、垂直偏向周期の後半では、６極垂直補正コイル６０には図８（Ｅ）の右半分の６極垂直補正電流Ｉｖ６（図８（Ｄ）の６極垂直補正電流Ｉｖ６）が流れ、電子ビームＲ，Ｇ，Ｂは画面の下半分を走査する。また、図８（Ｅ）の６極垂直補正電流Ｉｖ６の右半分においてのパラボラ電流は、図７（ｂ）のパラボラ電流とは逆の極性である。
【００７２】
垂直偏向周期の前半に供給される６極垂直補正電流Ｉｖ６に応じて６極垂直補正コイル６０が６極垂直補正磁界を発生することによって、画面上側の左右端ではサイドビームＲ，Ｂに図３に示すような下方向の力が作用し、画面上側の中央ではサイドビームＲ，Ｂに上方向の力が作用する。従って、図９に示すように、サイドビームＲ（Ｒｅｄ），Ｂ（Ｂｌｕｅ）は、画面上側の左右端ではセンタービームＧ（ｇｒｅｅｎ）よりも上がり、画面上側の中央ではセンタービームＧよりも下がる。
【００７３】
一方、垂直偏向周期の後半に供給される６極垂直補正電流Ｉｖ６に応じて６極垂直補正コイル６０が６極垂直補正磁界を発生することによって、６極垂直補正電流Ｉｖ６においてのパラボラ電流の極性が垂直偏向周期の前半とは逆極性になるので、画面下側の左右端ではサイドビームＲ，Ｂに上方向の力が作用し、画面下側の中央ではサイドビームＲ，Ｂに図３に示すような下方向の力が作用する。従って、図９に示すように、サイドビームＲ（Ｒｅｄ），Ｂ（Ｂｌｕｅ）は、画面下側の左右端ではセンタービームＧ（ｇｒｅｅｎ）よりも下がり、画面上側の中央ではセンタービームＧよりも上がる。
【００７４】
このように、ｄＶＣＲ補正回路１００では、電子ビームＲ，Ｇ，Ｂの軌道を図９のように補正することができるので、図１１のｄＶＣＲミスコンバーゼンスを独立に補正することができる。
【００７５】
このｄＶＣＲ補正回路１００では、パラボラ電流生成回路４０を可飽和リアクタ絶縁トランスで構成し、水平偏向回路に接続される１次側コイルＬＤｈ１，ＬＤｈ２と、６極垂直補正コイル６０およびｄＶＣＲ補正ブリッジ回路７０に接続される２次側コイルＬＤｐ１，ＬＤｐ２とを絶縁した構成により、６極垂直補正コイル６０およびｄＶＣＲ補正ブリッジ回路７０が高電位にならず、６極垂直補正コイル６０およびｄＶＣＲ補正ブリッジ回路７０を垂直偏向回路から絶縁する構成が必要ないので、コンバーゼンス補正装置の構成を従来よりも簡単にすることができる。
【００７６】
また、このｄＶＣＲ補正回路１００では、垂直周期前半変調回路９０および垂直周期後半変調回路８０を設け、垂直偏向周期の前半と後半とでパラボラ電流の極性を反転させた６極垂直補正電流Ｉｖ６を６極垂直補正コイル６０に供給する構成により、６極垂直補正コイルを１組設ければ足りるので、これによってもコンバーゼンス補正装置の構成を従来よりも簡単にすることができる。
【００７７】
さらに、垂直周期前半変調回路９０の直列回路にボリューム抵抗ＶＲ２を設けるとともに、垂直周期後半変調回路８０の直列回路にボリューム抵抗ＶＲ２を設けたことにより、変調電流Ｉｖ１とＩｖ２の振幅をそれぞれ単独に調整できるので、画面上下で独立にｄＶＣＲの補正調整ができる。
【００７８】
以上のように本発明の実施の形態によれば、６極垂直補正コイル６０およびｄＶＣＲ補正ブリッジ回路７０を垂直偏向回路から絶縁する必要ないとともに、６極垂直補正コイルを１組設ければ足りるので、ｄＶＣＲを補正するコンバーゼンス補正装置の構成を従来よりも簡単にすることができる。
【００７９】
なお、６極垂直補正電流Ｉｖ６の方向を垂直偏向周期の前半と後半とで逆にしたり、あるいは６極垂直補正コイル６０の巻回方向を変えることにより、サイドビームＲ，Ｂを上記実施の形態とは逆の方向に補正することも容易に可能である。
【００８０】
【発明の効果】
以上説明したように本発明によれば、６極垂直補正回路の全体を垂直偏向回路から絶縁する必要がなく、または／および６極垂直補正コイルを１組設ければ足りるので、ｄＶＣＲを補正するコンバーゼンス補正装置の構成を従来よりも簡単にすることができるという効果がある。
【図面の簡単な説明】
【図１】本発明の実施の形態のｄＶＣＲ補正回路の構成を説明する回路図である。
【図２】カラー陰極線管装置の構成を説明する側面図である。
【図３】図１の６極垂直補正コイルの構成および動作を説明する図である。
【図４】図１のパラボラ電流生成回路の構成および動作を説明する図である。
【図５】図１の可飽和リアクタの構成を説明する図である。
【図６】図１のｄＶＣＲ補正ブリッジ回路の構成および動作を説明する回路図である。
【図７】図１のパラボラ電流生成回路においての入出力電流波形図である。
【図８】図１のパラボラ電流変調手段においての電流波形図である。
【図９】図１のｄＶＣＲ補正回路においての電子ビーム軌道の補正を説明するパターン図である。
【図１０】ミスコンバーゼンスＶＣＲのパターン図である。
【図１１】ミスコンバーゼンスｄＶＣＲのパターン図である。
【符号の説明】
２０，３０  可飽和リアクタ、  ４０  パラボラ電流生成回路、  ５０  垂直偏向電流位相調整回路、  ６０  ６極垂直補正コイル、  ７０  ｄＶＣＲ補正ブリッジ回路、  ８０  垂直周期後半変調回路、  ９０  垂直周期前半変調回路、１００  ｄＶＣＲ補正回路。
【図１】
2004254072.tif 000003
【図２】
2004254072.tif 000004
【図３】
2004254072.tif 000005
【図４】
2004254072.tif 000006
【図５】
2004254072.tif 000007
【図６】
2004254072.tif 000008
【図７】
2004254072.tif 000009
【図８】
2004254072.tif 000010
【図９】
2004254072.tif 000011
【図１０】
2004254072.tif 000012
【図１１】
2004254072.tif 000013